(57)【特許請求の範囲】
【請求項１】
ワイヤレス通信のための方法であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと、ここにおいて、１次セル（Ｐｃｅｌｌ）において通信するために使用される少なくとも１つのＣＣがＰＵＣＣＨを搬送し、前記決定することが、前記Ｐｃｅｌｌにおいて通信するために使用される前記少なくとも１つのＣＣのシステムタイプに基づいて、前記ＴＡオフセット値を決定することを備える、
を備える、方法。
【請求項２】
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
請求項１に記載の方法。
【請求項３】
前記少なくとも１つのＦＤＤ  ＣＣおよび前記少なくとも１つのＴＤＤ  ＣＣが、同じタイミングアドバンスグループのものである、請求項１に記載の方法。
【請求項４】
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信するための手段と、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定するための手段と、ここにおいて、１次セル（Ｐｃｅｌｌ）において通信するために使用される少なくとも１つのＣＣがＰＵＣＣＨを搬送し、決定するための前記手段が、前記Ｐｃｅｌｌにおいて通信するために使用される前記少なくとも１つのＣＣのシステムタイプに基づいて、前記ＴＡオフセット値を決定するための手段を備える、
を備える、装置。
【請求項５】
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
請求項４に記載の装置。
【請求項６】
前記少なくとも１つのＦＤＤ  ＣＣおよび前記少なくとも１つのＴＤＤ  ＣＣが、同じタイミングアドバンスグループのものである、請求項４に記載の装置。
【請求項７】
実行されたときに、コンピュータに、請求項１−３のいずれか一項に記載の方法を実行させる命令を備える、コンピュータプログラム。
【発明の詳細な説明】
【技術分野】
【０００１】
（関連出願の相互参照）
[0001]本出願は、その全体がともに参照により本明細書に組み込まれる、２０１４年２月１０日に出願された米国仮特許出願第６１／９３７，９８７号、および２０１５年１月２９日に出願された米国特許出願第１４／６０８，４３３号の利益を主張する。
【０００２】
[0002]本開示のいくつかの実施形態は、一般にワイヤレス通信に関し、より詳細には、ＬＴＥ（登録商標）における周波数分割複信（ＦＤＤ）および時分割複信（ＴＤＤ）のキャリアアグリゲーション（ＣＡ）におけるＦＤＤおよびＴＤＤのタイミングオフセットを取り扱うための技法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ）システム、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]いくつかのシステムは、ドナー基地局とワイヤレス端末との間のメッセージを中継するリレー基地局を利用し得る。リレー基地局は、バックホールリンクを介してドナー基地局と通信し、アクセスリンクを介して端末と通信し得る。言い換えれば、リレー基地局は、バックホールリンクを介してドナー基地局からダウンリンクメッセージを受信し、アクセスリンクを介してこれらのメッセージを端末に中継し得る。同様に、リレー基地局は、アクセスリンクを介して端末からアップリンクメッセージを受信し、バックホールリンクを介してこれらのメッセージをドナー基地局に中継し得る。
【発明の概要】
【０００６】
[0006]本開示の態様は、ＬＴＥにおける周波数分割複信（ＦＤＤ）および時分割複信（ＴＤＤ）のキャリアアグリゲーション（ＣＡ）におけるＦＤＤおよびＴＤＤのタイミングオフセットを取り扱うための技法に関する。１つの例示的な方法は、概して、時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することとを含む。
【０００７】
[0007]本開示の態様はワイヤレス通信のための装置を提供する。本装置は、概して、時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することとを行うように構成された少なくとも１つのプロセッサを含む。本装置は、概して、少なくとも１つのプロセッサと結合されたメモリも含む。
【０００８】
[0008]本開示の態様はワイヤレス通信のための装置を提供する。本装置は、概して、時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信するための手段と、ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定するための手段とを含む。
【０００９】
[0009]本開示の態様は、ワイヤレス通信のための非一時的コンピュータ可読媒体を提供する。本コンピュータ可読媒体は、概して、その上に記憶されたコードを含み、該コードは、時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと、を行うためのコードを備える。
【００１０】
[0010]本開示のいくつかの態様は、上記で説明した方法の動作を実行するための様々な装置およびプログラム製品を提供する。
【００１１】
[0011]本開示の特徴、性質、および利点は、全体を通じて同様の参照符号が同様のものを指す図面とともに、以下に記載する発明を実施するための形態を読めばより明らかになろう。
【図面の簡単な説明】
【００１２】
【図１】[0012]本開示の態様による、多元接続ワイヤレス通信システムを示す図。
【図２】[0013]本開示の態様による、通信システムのブロック図。
【図３】[0014]本開示の態様による、例示的なフレーム構造を示す図。
【図４】[0015]本開示の態様による、例示的なサブフレームリソース要素マッピングを示す図。
【図５】[0016]本開示のいくつかの態様による、連続キャリアアグリゲーションを示す図。
【図６】[0017]本開示のいくつかの態様による、非連続キャリアアグリゲーションを示す図。
【図７】[0018]本開示のいくつかの態様による、例示的な動作を示す図。
【図８】[0019]本開示のいくつかの態様による、例示的なキャリアアグリゲーション（ＣＡ）構成を示す図。
【図９】[0020]本開示のいくつかの態様による、デュアル接続性が可能なワイヤレス通信システムを示す図。
【図１０】[0021]本開示のいくつかの態様による、タイミング調整（ＴＡ）オフセットシナリオの例を示す図。
【図１１】[0022]本開示の態様による、ワイヤレス通信のための例示的な動作１１００を示す図。
【図１２】[0023]本開示のいくつかの態様による、タイミング調整（ＴＡ）オフセットシナリオの例を示す図。
【図１３】[0024]本開示のいくつかの態様による、タイミング調整（ＴＡ）オフセットシナリオの例を示す図。
【図１４】[0025]本開示のいくつかの態様による、タイミング調整（ＴＡ）オフセットシナリオの例を示す図。
【発明を実施するための形態】
【００１３】
[0026]ユーザ機器（ＵＥ）は、周波数分割複信（ＦＤＤ）／時分割複信（ＴＤＤ）キャリアアグリゲーション（ＣＡ）と呼ばれる、ＴＤＤコンポーネントキャリアとＦＤＤコンポーネントキャリア（ＣＣ）とを互いにアグリゲートすることによるワイヤレス通信を実行することが可能であり得る。ＴＤＤ  ＣＣとＦＤＤ  ＣＣの両方においてアップリンク上で送信することは、ＴＤＤおよびＦＤＤにおけるアップリンク送信のタイミングを決定するためにタイミングアドバンスオフセットなどの異なるパラメータがＵＥによって使用され得るので、課題をもたらす。
【００１４】
[0027]本開示の態様は、ＬＴＥ時分割複信（ＴＤＤ）／周波数分割複信（ＦＤＤ）キャリアアグリゲーション（ＣＡ）におけるＴＤＤおよびＦＤＤのために定義された異なるタイミングアドバンス（ＴＡ）オフセットを取り扱うための技法を提供する。
【００１５】
[0028]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
[0029]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ）とを含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、電気電子技術者協会（ＩＥＥＥ：Institute of Electrical and Electronics Engineers）８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００１７】
[0030]シングルキャリア変調と周波数領域等化とを利用するシングルキャリア周波数分割多元接続（ＳＣ−ＦＤＭＡ）は、１つのワイヤレス送信技法である。ＳＣ−ＦＤＭＡは、ＯＦＤＭＡシステムと同様の性能および本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きな注目を集めている。それは現在、３ＧＰＰロングタームエボリューション（ＬＴＥ）、または発展型ＵＴＲＡにおけるアップリンク多元接続方式に関する実用的な前提である。
【００１８】
例示的なワイヤレスネットワーク
[0031]図１に、本開示の態様が実行され得るワイヤレス通信ネットワーク１００（たとえば、ＬＴＥネットワーク）を示す。たとえば、ＵＥ１１６および１２２は、ＴＤＤおよびＦＤＤのキャリアアグリゲーションを使用するときにアップリンク送信のタイミングを決定するために、本明細書で説明する技法を利用し得る。
【００１９】
[0032]図１を参照すると、一実施形態による多元接続ワイヤレス通信システムが示されている。アクセスポイント１０２（ＡＰ）は複数のアンテナグループを含み、あるアンテナグループは１０４と１０６とを含み、別のアンテナグループは１０８と１１０とを含み、追加のアンテナグループは１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信しており、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信しており、アンテナ１０６および１０８は、順方向リンク１２６上でアクセス端末１２２に情報を送信し、逆方向リンク１２４上でアクセス端末１２２から情報を受信する。周波数分割複信（ＦＤＤ）システムでは、通信リンク１１８、１２０、１２４および１２６は、通信のために異なる周波数を使用し得る。たとえば、順方向リンク１２０は、逆方向リンク１１８によって使用されるものとは異なる周波数を使用し得る。
【００２０】
[0033]アンテナの各グループ、および／またはアンテナが通信するように設計されたエリアは、しばしば、アクセスポイントのセクタと呼ばれる。本実施形態では、アンテナグループはそれぞれ、アクセスポイント１０２によってカバーされるエリアのセクタ中でアクセス端末に通信するように設計される。
【００２１】
[0034]順方向リンク１２０および１２６上の通信では、アクセスポイント１０２の送信アンテナは、異なるアクセス端末１１６および１２２のための順方向リンクの信号対雑音比を改善するためにビームフォーミングを利用し得る。また、アクセスポイントが、それのカバレージを介してランダムに分散されたアクセス端末に送信するためにビームフォーミングを使用するほうが、アクセスポイントが単一のアンテナを介してすべてのそれのアクセス端末に送信するよりも、ネイバリングセル中のアクセス端末への干渉が小さくなる。
【００２２】
[0035]アクセスポイントは、端末と通信するために使用される固定局であり得、基地局、アクセスポイント、ノードＢ、または何らかの他の用語で呼ばれることもある。アクセス端末は、アクセス端末、ユーザ機器（ＵＥ）、ワイヤレス通信デバイス、端末、または何らかの他の用語で呼ばれることもある。
【００２３】
[0036]ワイヤレス通信ネットワーク１００は、キャリアアグリゲーション（ＣＡ）またはマルチキャリア動作と呼ばれることがある、複数のキャリア上での動作をサポートし得る。キャリアは、コンポーネントキャリア（ＣＣ）、レイヤ、などと呼ばれることもある。したがって、「キャリア」、「レイヤ」、および「ＣＣ」という用語は、本明細書では互換的に使用されることがある。ダウンリンクのために使用されるキャリアはダウンリンクＣＣと呼ばれることがあり、アップリンクのために使用されるキャリアはアップリンクＣＣと呼ばれることがある。ダウンリンクＣＣとアップリンクＣＣとの組合せはセルと呼ばれることがある。また、ダウンリンクＣＣからなるセルを有することが可能である。ＵＥ１１６は、キャリアアグリゲーションのために、複数のダウンリンクＣＣと１つまたは複数のアップリンクＣＣとで構成され得る。基地局１０２は、ダウンリンクおよび／またはアップリンク上の複数のＣＣを介したＵＥとの通信をサポートするように構成され得る。したがって、ＵＥ１１６は、１つの基地局１０２から、または複数の基地局１０２（たとえば、シングルまたはマルチレイヤｅＮＢ）から１つまたは複数のダウンリンクＣＣ上でデータと制御情報とを受信し得る。ＵＥ１１６は、１つまたは複数のアップリンクＣＣ上でデータと制御情報とを１つまたは複数の基地局１０２に送信し得る。キャリアアグリゲーションは、ＦＤＤコンポーネントキャリアとＴＤＤコンポーネントキャリアの両方とともに使用され得る。ＤＬキャリアアグリゲーションの場合、複数のＤＬ送信が１つのサブフレーム中で行われるとき、ＡＣＫ／ＮＡＣＫの複数のビットがフィードバックされる。
【００２４】
[0037]図２は、ＭＩＭＯシステム２００における（アクセスポイントとしても知られる）送信機システム２１０と、（アクセス端末としても知られる）受信機システム２５０との実施形態のブロック図である。いくつかの態様によれば、送信機システム２１０および受信機システム２５０は、図１に示されているように、それぞれ、基地局１１０および／またはユーザ機器１１６／１２２に対応し得る。送信機システム２１０において、いくつかのデータストリームのトラフィックデータがデータソース２１２から送信（ＴＸ）データプロセッサ２１４に与えられる。
【００２５】
[0038]一態様では、各データストリームは、それぞれの送信アンテナを介して送信される。ＴＸデータプロセッサ２１４は、各データストリームのトラフィックデータを、そのデータストリーム用に選択された特定のコーディング方式に基づいて、フォーマットし、コーディングし、インターリーブして、コード化データを与える。
【００２６】
[0039]各データストリームのためのコード化データは、ＯＦＤＭ技法を使用してパイロットデータと多重化され得る。パイロットデータは、一般に、知られている方法で処理される、知られているデータパターンであり、チャネル応答を推定するために受信機システムにおいて使用され得る。各データストリームのための多重化されたパイロットデータおよびコード化データは、次いで、変調シンボルを与えるために、そのデータストリームのために選択された特定の変調方式（たとえば、２位相シフトキーイング（ＢＰＳＫ：binary phase shift keying）、４位相シフトキーイング（ＱＰＳＫ：quadrature phase shift keying）、Ｍ位相シフトキーイング（Ｍ−ＰＳＫ：M phase shift keying）、またはＭ直交振幅変調（Ｍ−ＱＡＭ：M quadrature amplitude modulation））に基づいて変調（すなわち、シンボルマッピング）される。各データストリームのためのデータレート、コーディング、および変調は、プロセッサ２３０によって実行される命令によって決定され得る。
【００２７】
[0040]次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの実施形態では、ＴＸ  ＭＩＭＯプロセッサ２２０は、データストリームのシンボルと、シンボルの送信元のアンテナとにビームフォーミング重みを適用する。
【００２８】
[0041]各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。送信機２２２ａ〜２２２ｔからのＮT個の被変調信号は、次いで、それぞれＮT個のアンテナ２２４ａ〜２２４ｔから送信される。
【００２９】
[0042]受信機システム２５０において、送信された被変調信号は、ＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３０】
[0043]次いで、受信（ＲＸ）データプロセッサ２６０が、ＮR個の受信機２５４からＮR個の受信シンボルストリームを受信し、ＮT個の「検出」シンボルストリームを与えるために特定の受信機処理技法に基づいて処理する。ＲＸデータプロセッサ２６０は、次いで、データストリームのトラフィックデータを復元するために、各検出シンボルストリームを復調し、デインターリーブし、復号する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００３１】
[0044]プロセッサ２７０は、どのプリコーディング行列を使用すべきかを周期的に決定する。プロセッサ２７０は、行列インデックス部分とランク値部分とを備える逆方向リンクメッセージを構築する。
【００３２】
[0045]逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３３】
[0046]送信機システム２１０において、受信機システム２５０からの被変調信号は、受信機システム２５０によって送信された逆方向リンクメッセージを抽出するために、アンテナ２２４によって受信され、受信機２２２によって調整され、復調器２４０によって復調され、ＲＸデータプロセッサ２４２によって処理される。プロセッサ２３０は、次いで、ビームフォーミング重みを決定するためにどのプリコーディング行列を使用すべきかを決定し、次いで、抽出されたメッセージを処理する。
【００３４】
[0047]いくつかの態様によれば、送信機システム２１０のプロセッサ（たとえば、ＴＸデータプロセッサ２１４、ＴＸ  ＭＩＭＯプロセッサ２２０、プロセッサ２３０、および／またはＲＸデータプロセッサ２４２）のうちの１つまたは複数、および／または受信機システム２５０の１つまたは複数のプロセッサ（たとえば、ＴＸデータプロセッサ２３８、プロセッサ２７０、および／またはＲＸデータプロセッサ２６０）は、ＴＤＤ／ＦＤＤアグリゲーションを使用して通信するときにアップリンク送信のタイミングを決定するための本明細書で説明する動作を実行するように構成され得る。
【００３５】
[0048]一態様では、論理チャネルは、制御チャネルとトラフィックチャネルとに分類される。論理制御チャネルは、システム制御情報をブロードキャストするためのダウンリンク（ＤＬ）チャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイントＤＬチャネルである。概して、無線リソース制御（ＲＲＣ）接続を確立した後、このチャネルは、ＭＢＭＳを受信するＵＥによってのみ使用される。専用制御チャネル（ＤＣＣＨ）は、ＲＲＣ接続を有するＵＥによって使用される、専用制御情報を送信するポイントツーポイント双方向チャネルである。一態様では、論理トラフィックチャネルは、ユーザ情報を転送するための１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００３６】
[0049]一態様では、トランスポートチャネルは、ＤＬとＵＬとに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備える。ＰＣＨは、ＵＥによる間欠受信（ＤＲＸ）のサポートのために使用され得る。ＤＲＸの使用はＵＥによる電力節約を可能にする（ＤＲＸサイクルはネットワークによってＵＥに示される）。ＰＣＨは、セル全体にわたってブロードキャストされ、他の制御／トラフィックチャネルのために使用され得る物理レイヤ（ＰＨＹ）リソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルとのセットを備える。
【００３７】
[0050]一態様では、シングルキャリア波形の低いＰＡＰＲ（所与の時間に、チャネルは、周波数が連続するかまたは一様に離間される）特性を維持するチャネル構造が提供される。
【００３８】
[0051]本文書では、以下の略語が適用される。
ＡＭ  確認応答モード
ＡＭＤ  確認応答モードデータ
ＡＲＱ  自動再送要求
ＢＣＣＨ  ブロードキャスト制御チャネル
ＢＣＨ  ブロードキャストチャネル
Ｃ−  制御−
ＣＣＣＨ  共通制御チャネル
ＣＣＨ  制御チャネル
ＣＣＴｒＣＨ  コード化複合トランスポートチャネル
ＣＰ  サイクリックプレフィックス
ＣＲＣ  サイクリック冗長検査
ＣＴＣＨ  共通トラフィックチャネル
ＤＣＣＨ  専用制御チャネル
ＤＣＨ  専用チャネル
ＤＬ  ダウンリンク
ＤＬ−ＳＣＨ  ダウンリンク共有チャネル
ＤＭ−ＲＳ  復調基準信号
ＤＳＣＨ  ダウンリンク共有チャネル
ＤＴＣＨ  専用トラフィックチャネル
ＦＡＣＨ  順方向リンクアクセスチャネル
ＦＤＤ  周波数分割複信
Ｌ１  レイヤ１（物理レイヤ）
Ｌ２  レイヤ２（データリンクレイヤ）
Ｌ３  レイヤ３（ネットワークレイヤ）
ＬＩ  長さインジケータ
ＬＳＢ  最下位ビット
ＭＡＣ  媒体アクセス制御
ＭＢＭＳ  マルチメディアブロードキャストマルチキャストサービス
ＭＣＣＨ  ＭＢＭＳポイントツーマルチポイント制御チャネル
ＭＲＷ  移動受信ウィンドウ
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＰＣＣＨ  ページング制御チャネル
ＰＣＨ  ページングチャネル
ＰＤＵ  プロトコルデータユニット
ＰＨＹ  物理レイヤ
ＰｈｙＣＨ  物理チャネル
ＲＡＣＨ  ランダムアクセスチャネル
ＲＢ  リソースブロック
ＲＬＣ  無線リンク制御
ＲＲＣ  無線リソース制御
ＳＡＰ  サービスアクセスポイント
ＳＤＵ  サービスデータユニット
ＳＨＣＣＨ  共有チャネル制御チャネル
ＳＮ  シーケンス番号
ＳＵＦＩ  スーパーフィールド
ＴＣＨ  トラフィックチャネル
ＴＤＤ  時分割複信
ＴＦＩ  トランスポートフォーマットインジケータ
ＴＭ  透過モード
ＴＭＤ  透過モードデータ
ＴＴＩ  送信時間間隔
Ｕ−  ユーザ−
ＵＥ  ユーザ機器
ＵＬ  アップリンク
ＵＭ  非確認応答モード
ＵＭＤ  非確認応答モードデータ
ＵＭＴＳ  ユニバーサルモバイルテレコミュニケーションズシステム
ＵＴＲＡ  ＵＭＴＳ地上波無線アクセス
ＵＴＲＡＮ  ＵＭＴＳ地上波無線アクセスネットワーク
ＭＢＳＦＮ  マルチメディアブロードキャスト単一周波数ネットワーク
ＭＣＥ  ＭＢＭＳ協調エンティティ
ＭＣＨ  マルチキャストチャネル
ＭＳＣＨ  ＭＢＭＳ制御チャネル
ＰＤＣＣＨ  物理ダウンリンク制御チャネル
ＰＤＳＣＨ  物理ダウンリンク共有チャネル
ＰＲＢ  物理リソースブロック
ＶＲＢ  仮想リソースブロック
さらに、Ｒｅｌ−８はＬＴＥ規格のリリース８を指す。
【００３９】
[0052]図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００４０】
[0053]ＬＴＥでは、ｅノードＢは、ｅノードＢによってサポートされるセルごとにシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得る。セル探索および収集中に、端末は、端末が（フレームタイミングによって与えられる）基準信号シーケンスの開始および（物理レイヤセル識別情報によって与えられる）セルの基準信号シーケンスをそれから知る、セルのセルフレームタイミングおよび物理レイヤ識別情報を検出する。ｅノードＢは、ｅノードＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅノードＢはまた、いくつかの無線フレームのスロット１中のシンボル期間０〜３中で物理ブロードキャストチャネル（ＰＢＣＨ）を送信し得る。ＰＢＣＨは、何らかのシステム情報を搬送し得る。ｅノードＢは、いくつかのサブフレームにおいて物理ダウンリンク共有チャネル（ＰＤＳＣＨ）上でシステム情報ブロック（ＳＩＢ：System Information Block）などの他のシステム情報を送信し得る。ｅノードＢは、サブフレームの最初のＢ個のシンボル期間中で、物理ダウンリンク制御チャネル（ＰＤＣＣＨ）上で制御情報／データを送信し得、ここで、Ｂは各サブフレームについて構成可能であり得る。ｅノードＢは、各サブフレームの残りのシンボル期間中で、ＰＤＳＣＨ上でトラフィックデータおよび／または他のデータを送信し得る。
【００４１】
[0054]図４に、ノーマルサイクリックプレフィックスを使用したｅノードＢからのダウンリンク送信のための２つの例示的なサブフレームフォーマット４１０および４２０を示す。ダウンリンクのために利用可能な時間周波数リソースは、リソースブロックに区分され得る。各リソースブロックは、１つのスロット中で１２個のサブキャリアをカバーし得、いくつかのリソース要素を含み得る。各リソース要素は、１つのシンボル期間中で１つのサブキャリアをカバーし得、実数値または複素数値であり得る１つの変調シンボルを送るために使用され得る。
【００４２】
[0055]サブフレームフォーマット４１０は、２つのアンテナを装備したｅノードＢのために使用され得る。ＣＲＳは、シンボル期間０、４、７および１１中でアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有の基準信号である。図４では、ラベルＲaをもつ所与のリソース要素について、アンテナａからはそのリソース要素上で変調シンボル（たとえば、ＣＲＳ）が送信され、他のアンテナからはそのリソース要素上で変調シンボルが送信されないことがある。サブフレームフォーマット４２０は、４つのアンテナを装備したｅノードＢのために使用され得る。ＣＲＳは、シンボル期間０、４、７および１１中でアンテナ０および１から送信され得、シンボル期間１および８中でアンテナ２および３から送信され得る。サブフレームフォーマット４１０とサブフレームフォーマット４２０の両方について、ＣＲＳは、セルＩＤに基づいて決定され得る、均等に離隔したサブキャリア上で送信され得る。異なるｅノードＢは、それらのセルＩＤに応じて、同じまたは異なるサブキャリア上でそれらのＣＲＳを送信し得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００４３】
[0056]ＬＴＥにおけるＰＳＳ、ＳＳＳ、ＣＲＳ、およびＰＢＣＨは、公開されている「Evolved Universal Terrestrial Radio Access (E-UTRA); Physical Channels and Modulation」と題する３ＧＰＰ  ＴＳ３６．２１１に記載されている。
【００４４】
[0057]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のサブフレームだけ離間したサブフレームを含み得る。特に、インターレースｑは、サブフレームｑ、ｑ＋Ｑ、ｑ＋２Ｑなどを含み得、ここでｑ∈｛０，．．．，Ｑ−１｝である。
【００４５】
[0058]ワイヤレスネットワークは、ダウンリンクおよびアップリンク上でのデータ送信のためにハイブリッド自動再送信要求（ＨＡＲＱ：hybrid automatic retransmission request）をサポートし得る。ＨＡＲＱの場合、送信機（たとえば、ｅノードＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００４６】
[0059]ＵＥは、複数のｅノードＢのカバレージエリア内に位置し得る。そのＵＥをサービスするために、これらのｅノードＢのうちの１つが選択され得る。サービングｅノードＢは、受信信号強度、受信信号品質、経路損失など、様々な基準に基づいて選択され得る。受信信号品質は、信号対雑音干渉比（ＳＩＮＲ：signal-to-noise-and-interference ratio）、基準信号受信品質（ＲＳＲＱ：reference signal received quality）、または何らかの他のメトリックによって定量化され得る。ＵＥは、ＵＥが１つまたは複数の干渉ｅノードＢからの高い干渉を観測し得る支配的干渉シナリオにおいて動作し得る。たとえば、ｅノードＢは、ＵＥのあるグループのみにアクセスを制限し得る。グループは限定加入者グループ（ＣＳＧ：closed subscriber group）と呼ばれることがあり、制限ｅノードＢは限定加入者グループｅノードＢまたはセルと呼ばれることがある。ＣＳＧのメンバーでないＵＥがＣＳＧ  ｅノードＢの近くにある場合、ＵＥは、ＣＳＧ  ｅノードＢへのアクセスを拒否されるが、比較的高い強度でＣＳＧ  ｅノードＢから信号を受信することになる。ＵＥは、他のｅノードＢに関連し、他のｅノードＢからサービスを受信することを試みるが、近くのＣＳＧ  ｅノードＢからの信号は、ＵＥとサービングｅノードＢとの間の通信に対する干渉として働くことになる。
【００４７】
キャリアアグリゲーション
[0060]ＬＴＥアドバンストＵＥなど、いくつかのタイプのデバイスは、各方向における送信のために、最高合計１００ＭＨｚのキャリアアグリゲーション（５つのコンポーネントキャリア）において割り振られたコンポーネントキャリア当たり最高２０ＭＨｚの帯域幅のスペクトルを使用し得る。ＬＴＥアドバンストモバイルシステムのために、２つのタイプのキャリアアグリゲーション（ＣＡ）方法、すなわち、連続ＣＡおよび非連続ＣＡが提案されている。非連続ＣＡと連続ＣＡの両方は、単一のＬＴＥアドバンストＵＥをサービスするために複数のＬＴＥ／コンポーネントキャリアをアグリゲートすることを伴う。
【００４８】
[0061]様々な実施形態によれば、（キャリアアグリゲーションとも呼ばれる）マルチキャリアシステムにおいて動作するＵＥは、「１次キャリア」または「アンカーキャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、専用チャネル（ＤＣＨ）、スケジュールされない許可（nonscheduled grants）、物理アップリンク制御チャネル（ＰＵＣＣＨ）、および／または物理ダウンリンク制御チャネル（ＰＤＣＣＨ）によって提供される制御機能などの制御機能をアグリゲートし得る。ＣＡは、１次キャリア上のリソースは制御機能（ならびにデータ送信）のために使用され、２次キャリアはデータ送信のために利用可能であるという点で、全体的な伝送効率を改善することができる。したがって、制御機能に対する送信データの比は、非ＣＡ技法と比較して、ＣＡによって増加され得る。
【００４９】
[0062]図５に、互いに隣接する複数の利用可能なコンポーネントキャリア５１０がアグリゲートされる連続ＣＡ５００を示す。
【００５０】
[0063]図６に、周波数帯に沿って分離された複数の利用可能なコンポーネントキャリア５１０がアグリゲートされる非連続ＣＡ６００を示す。
【００５１】
[0064]図７に、一例による、物理チャネルをグループ化することによって複数キャリアワイヤレス通信システムにおいて無線リンクを制御するための方法７００を示す。図示のように、本方法は、ブロック７０５において、１次キャリアと、１つまたは複数の関連する２次キャリアとを形成するために、少なくとも２つのキャリアからの制御機能を１つのキャリア上にアグリゲートすることを含む。たとえば、図５中のコンポーネントキャリア５１０ａ、５１０ｂ、および５１０ｃのための制御機能のすべては、キャリア５１０ａ、５１０ｂ、および５１０ｃのアグリゲーションのための１次キャリアとして働く、コンポーネントキャリア５１０ａ上でアグリゲートされ得る。次にブロック７１０において、１次キャリアと各２次キャリアとのための通信リンクが確立される。たとえば、ｅノードＢ（たとえば、ｅノードＢ１０２）に関連するＵＥ（たとえば、ＵＥ１１６および／または１２２）は、コンポーネントキャリア５１０ａ、５１０ｂ、および５１０ｃに関する構成情報（たとえば、各コンポーネントキャリアの帯域幅）と、１次キャリア５１０ａならびに関連する２次キャリア５１０ｂおよび５１０ｃ上で受信されるべき制御情報間のマッピングを示す構成情報とを受信する。次いで、ブロック７１５において、１次キャリアに基づいて通信を制御する。たとえば、ｅノードＢは、ＵＥを対象とする、２次キャリア５１０ｂ上でｅノードＢによって送信されるＰＤＳＣＨのために、ＵＥにダウンリンク許可を搬送する１次キャリア５１０ａ上でＵＥにＰＤＣＣＨを送信し得る。
【００５２】
例示的な、ＬＴＥにおけるＦＤＤおよびＴＤＤのＣＡにおけるＦＤＤおよびＴＤＤのタイミングオフセットの取扱い
[0065]本開示の態様は、ＵＥがＴＴＤコンポーネントキャリアとＦＤＤコンポーネントキャリアの両方をアグリゲートしているときにアップリンク送信のタイミングを決定するためにＵＥによって使用され得る技法を提供する。
【００５３】
[0066]ＬＴＥリリース１０に従って動作するＵＥなど、特定のタイプのデバイスは、複数のコンポーネントキャリア（ＣＣ）を使用して通信するように構成され得る。たとえば、図８に見られるように、１つのＣＣが１次ＣＣ（ＰＣＣ）（たとえば、ＤＬ  ＰＣＣ８０２）として指定され得、他のものが２次ＣＣ（ＳＣＣ）（たとえば、ＤＬ  ＳＣＣ８０４）として指定され得る。ＰＣＣは、ユーザ機器（ＵＥ）ごとに上位レイヤによって半静的に構成され得る。肯定応答／否定応答（ＡＣＫ）／（ＮＡＫ）、チャネル品質情報（ＣＱＩ）およびスケジューリング要求（ＳＲ）は、物理アップリンク制御チャネル（ＰＵＣＣＨ）上で送信されるときには、ＰＣＣ上で送信され得る。
【００５４】
[0067]場合によっては、ＳＣＣはＵＥのためのＰＵＣＣＨを搬送しないことがある。さらに、いくつかのサブフレーム構成では、アップリンク（ＵＬ）よりもダウンリンク（ＤＬ）のために使用されるより多くのＣＣがあり得る。たとえば、最高５対１のＤＬ  ＣＣ対アップリンクＵＬ  ＣＣのマッピングが可能である。その結果、１つのＵＬ  ＣＣ（たとえば、ＵＬ  ＰＣＣ８０６）は、最高５つのＤＬ  ＣＣのためにＰＵＣＣＨ上のＡＣＫ／ＮＡＫ送信をサポートし得る。
【００５５】
[0068]いくつかの規格（たとえば、ＬＴＥリリース１１）は、異なるアップリンク帯域が異なるタイミングアドバンスを必要とする場合をサポートするために、複数のタイミング調整グループ（ＴＡＧ：timing adjustment group）という概念を導入している。たとえば、帯域のうちの１つにおけるリピータ（すなわち、基地局から信号を受信し、再ブロードキャストするように機能するデバイス）の使用、または帯域固有リピータの内部遅延の差に起因して、異なるタイミングアドバンスが必要とされ得る。ＴＡＧは、構成されたＵＬをもつセルについて同じタイミング基準セルおよび同じタイミングアドバンス値を使用する、無線リソース制御ＲＲＣメッセージによって構成された、サービングセルのグループとして定義され得る。１つのそのようなタイミング調整グループは、１次セル（ＰＣｅｌｌ）を含んでいることがある、１次タイミングアドバンスグループ（ｐＴＡＧ：Primary Timing Advance Group）として知られることがある。別のタイミング調整グループは、ＰＣｅｌｌを含んでいないことがある、２次タイミングアドバンスグループ（ｓＴＡＧ：Secondary Timing Advance Group）として知られることがある。
【００５６】
[0069]しかしながら、場合によっては、アグリゲートされたＴＤＤおよびＦＤＤ  ＣＣ間の最大時間差が、ＴＡＧのためのタイミングアドバンス値によって与えられる調整の量を超えることがある。しかしながら、本開示の態様は、ＵＥが、アグリゲートされたＴＤＤおよびＦＤＤ  ＣＣを使用して通信するとき、ＵＥが、アップリンク送信のタイミングを調整するために使用し得る技法を提供する。
【００５７】
[0070]アグリゲートされたＣＣ間にタイミング差が存在する例示的なシナリオは、図９に示されているように、デュアル接続性モードのＵＥである。デュアル接続性は、概して、ＵＥ１１６がマクロセル７０２とより小さいセル７０４（たとえば、ピコセルなどのより低電力のセル）とに同時に接続されることを伴う。
【００５８】
[0071]デュアル接続性の下で、ＵＥのためにアグリゲートされた２つまたはそれ以上のＣＣは、理想的なバックホール接続性を有しないことがある。結果として、ＰＵＣＣＨがＳｃｅｌｌ上でサポートされ得る。さらに、上述のように、ＴＤＤおよびＦＤＤのキャリアアグリゲーションがサポートされ得る。ＴＤＤおよびＦＤＤのキャリアアグリゲーションの下で、ＵＥは、以下の式に基づいて、アップリンク無線フレームの送信開始時間を、対応するダウンリンク無線フレームの開始の前に決定し得、
（ＮＴＡ ＋ ＮＴＡｏｆｆｓｅｔ）ｘ Ｔｓ  秒
ここで、ＮTAは、ｅＮＢからのＴＡコマンドに基づくタイミングアドバンスであり、Ｔｓは１／（１５０００×２０４８）秒に等しく、ＮTAoffsetは、ＦＤＤの場合０であり、ＴＤＤの場合６２４である。したがって、ＴＤＤでは、ＵＬ−ＤＬ切替えのための切替えギャップとして使用され得る、アップリンクタイミングアドバンスにおけるおおよそ２０μｓ（すなわち、１／（１５０００×２０４８）×６２４＝約２０μｓ）の追加のオフセットが存在し得る。したがって、ＴＤＤ−ＦＤＤ  ＣＡでは、単一のタイミングアドバンスグループの場合でも、ＴＤＤキャリア上のアップリンク送信は、ＦＤＤアップリンクキャリアと比較して２０μｓ進んだものとなり得る。したがって、ＬＴＥ  ＴＤＤ／ＦＤＤ  ＣＡにおけるＴＤＤおよびＦＤＤのために定義された異なるＴＡオフセットをどのように取り扱うべきかの必要がある。
【００５９】
[0072]この（２０μｓ）タイミングオフセットに対処するために利用可能な様々な手法がある。たとえば、異なるＴＡＧ間のサポートされる最大タイミング差を５０μｓまで延長することが可能であり得る。しかしながら、新しい最大ＵＬタイミング差はインフラストラクチャの変更を必要とし、複数のワーキンググループにわたる追加の仕様作業を必要とすることがある。
【００６０】
[0073]２０μｓタイミングオフセットに対処するための別の潜在的手法は、（ＵＥによって適用される複数のタイミング調整値を伴う）既存のマルチＴＡフレームワークに依拠することである。この場合、ＵＥは、最高約３０μｓのタイミング差をサポートし得る、ＴＤＤサービングセルおよびＦＤＤサービングセルのための異なるタイミング調整グループ（ＴＡＧ）を用いて構成され得る。しかしながら、ＴＤＤサービングセルおよびＦＤＤサービングセルのための異なるＴＡＧを用いてＵＥを構成することは、サポートされる最大タイミング伝搬遅延差を、伝搬距離における３ｋｍ差に相当する、おおよそ１０μｓに低減し得る。さらに、複数のＴＡグループを有することは、複数のＴＡＧを管理することに関与するＵＬ動作複雑さおよびオーバーヘッドを増加させ得る。
【００６１】
[0074]２０μｓタイミングオフセットに対処するための別の潜在的手法は、ＦＤＤセル受信タイミングをＴＤＤセル受信タイミングと整合（align）させることである。この場合、ＦＤＤセル内の（レガシーＵＥを含む）すべてのＵＥのためのＴＡは、約２０μｓだけバイアスされ得る。既存のマルチＴＡフレームワークは、ＴＤＤ−ＦＤＤ  ＣＡ  ＵＥのために異なるＦＤＤ  ＴＡ値とＴＤＤ  ＴＡ値を設定するために使用され得る。この手法は、ＴＡＧ間のサポートされる最大伝搬遅延差が３０μｓに保たれることを可能にし得る。しかしながら、複数のＴＡグループを有することは、複数のＴＡグループを管理することに関与するＵＬ動作複雑さおよびオーバーヘッドを増加させ得る。
【００６２】
[0075]２０μｓタイミングオフセットに対処するための別の潜在的手法は、ＴＤＤ−ＦＤＤ  ＣＡを用いて構成されるときにＵＥによるＣＡ固有ＴＡ値の構成を可能にすることによって、受信タイミングをＴＤＤセルタイミングと整合させることである。この例の下で、単一のＴＡ値が使用され得、Ｐｃｅｌｌはタイミング基準のままであり得る。この例の下で、ＴＤＤおよびＦＤＤのＣＡを使用して通信するＵＥは、複数のＴＡＧを用いて構成される必要がないことがあり、このことは、複数のタイミングアドバンス値を管理することによるわずかなオーバーヘッドを回避し得る。さらに、ＦＤＤサービングセル上の（ＦＤＤおよびＴＤＤのＣＡをサポートしない）いわゆるレガシーＵＥの場合、タイミングアドバンスは、セル中のすべてのＵＥのためのタイミングを整合された状態に保つために、約２０μｓだけバイアスされる必要があり得る。
【００６３】
[0076]ＵＥが、ＴＤＤ  ＣＣを用いない場合と、２次セルとしてＴＤＤ  ＣＣを用いる場合との間で遷移するときに課題が存在し、これは、ＵＬタイミングを調整することをＵＥに要求し得る。
【００６４】
[0077]たとえば、図１０に示されているように、ＵＥは、ＴＤＤ  ＣＣが追加および／または除去されるとき、ＦＤＤ  ＰｃｅｌｌのためのＵＬタイミングオフセットを調整する必要があり得る。図示のように、時間Ｔ１において、ＮTAoffsetは、ＦＤＤ  ＣＣのみが使用されているので、０である（ＴＡがＮTAのみを備えることを意味する）。しかしながら、時間Ｔ２においてＴＤＤキャリアが追加されるので、そして、この例では受信タイミングがＴＤＤセルタイミングと整合されるので、ＴＡはＮTAとＮTAoffest＝６２４の両方を含む。
【００６５】
[0078]言い換えれば、受信タイミングがＴＤＤセルと整合されるので、追加の２０μｓがＴＡに追加される。その上、Ｔ３において、Ｔ２において前に追加された２０μｓは、ＴＤＤ  ＣＣが除去されるので、除去される必要がある。したがって、この例の下で、Ｔ３において、ｅＮＢは、ＵＥのＵＬ受信タイミングを同じＦＤＤ  ＣＣ上の他のＵＥと整合させるために自律ＴＡ調整について調整するために、ＴＡコマンドを発行する必要があり得、リソースを浪費する。
【００６６】
[0079]本開示の態様は、上記で説明した手法の欠点のうちのいくつかを回避しながらタイミングオフセットに対処するために適用され得る技法を提供する。本技法は、ＵＥが、たとえば、１次ＣＣがＦＤＤであるのかＴＤＤであるのかに基づいて、使用すべきＴＡオフセット値を選択することを可能にする。
【００６７】
[0080]たとえば、図１１に、本開示の態様による、ＬＴＥ  ＴＤＤ／ＦＤＤ  ＣＡにおけるＴＤＤおよびＦＤＤのために定義された異なるＴＡオフセットを取り扱うための例示的な動作１１００を示す。動作１１００は、たとえば、ＣＡを使用して通信することが可能な基地局（たとえば、ｅＮＢ１１０）またはユーザ機器（ＵＥ）（たとえば、ＵＥ１１６および／または１２２）によって実行され得る。
【００６８】
[0081]動作１１００は、１１０２において、時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することによって開始する。動作は、１１０４において、ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することによって続く。
【００６９】
[0082]したがって、動作１１００によれば、ＵＥは、ＬＴＥ  ＴＤＤ／ＦＤＤ  ＣＡにおけるＴＤＤおよびＦＤＤのための異なるＴＡオフセットを有することの問題を、ＦＤＤ／ＴＤＤ  ＣＡにおけるＵＥのためのＵＬタイミングオフセットＮTA offsetをＰｃｅｌｌシステムタイプに基づかせることによって解決し得る。たとえば、いくつかの態様によれば、ＰｃｅｌｌがＦＤＤである場合、ＵＥのためのＣＡにおけるすべてのＣＣについてＮTA offset＝０である。ＰｃｅｌｌがＴＤＤである場合、ＵＥのためのＣＡにおけるすべてのＣＣについてＮTA offset＝６２４である。この場合、ＴＤＤ  Ｓｃｅｌｌが追加または除去されるときにＵＬタイミングを更新する必要がないことがある。
【００７０】
[0083]図１２に、本開示の態様による、ＵＥがＵＬタイミングをＰｃｅｌｌシステムタイプに基づかせる例を示す。図示の例では、ＰｃｅｌｌシステムタイプはＦＤＤである。したがって、ＵＬタイミングがＦＤＤ  Ｐｃｅｌｌに基づくので、（０である）ＦＤＤのためのＴＡオフセット値（ＮTAoffset）が使用される。時間Ｔ１において、ＵＥはＦＤＤ  ＣＣのみと通信し、ＮTAoffsetは０である。時間Ｔ２において、ＵＥは、今度は、ＴＤＤ  Ｓｃｅｌｌを用いて構成（configured）されるが、ＵＬタイミングが、ＴＤＤ  ＣＣではなく、ＦＤＤ  Ｐｃｅｌｌに基づくので、ＵＬタイミングは同じままである（すなわち、ＮTAoffsetは０のままである）。時間Ｔ３において、ＴＤＤ  ＣＣが構成解除（de-configured）されるとき、ＵＥは、依然として、ＵＬタイミングをＦＤＤのために使用されるＴＡオフセット値に基づかせる。
【００７１】
[0084]図１３に、図１２と同様であるが、ＵＥがＵＬタイミングをＴＤＤ  Ｐｃｅｌｌに基づかせるシナリオを示す。この例では、時間Ｔ１において、ＵＥは、ＴＤＤ  ＣＣのみを用いて動作させられ得、したがって、ＵＬタイミングがＴＤＤ  Ｐｃｅｌｌに基づくので、ＴＤＤのためのＮTAoffest値（６２４）が使用される。時間Ｔ２において、ＵＥは、ＦＤＤ  Ｓｃｅｌｌ  ＣＣを用いて構成（configured）され得るが、ＵＬタイミングが、ＦＤＤ  ＣＣではなく、ＴＤＤ  Ｐｃｅｌｌに基づくので、ＵＬタイミングは同じままである（すなわち、ＮTAoffsetは６２４のままである）。時間Ｔ３において、ＦＤＤ  ＣＣが構成解除（de-configured）されるとき、ＵＬタイミングがＦＤＤ  Ｐｃｅｌｌに基づくので、ＵＬタイミングのために使用されるＴＡオフセット値は同じままである（すなわち、ＮTAoffsetは６２４のままである）。
【００７２】
[0085]いくつかの態様によれば、タイミングオフセット値は、ＳｃｅｌｌおよびＰｃｅｌｌが同じＴＡＧのものであるか否かにかかわらず、Ｐｃｅｌｌシステムタイプに基づいて決定され得る。いくつかの態様によれば、決定は、ＳｃｅｌｌおよびＰｃｅｌｌが同じＴＡＧ中にあるか否かに依存し得る。たとえば、ＳｃｅｌｌおよびＰｃｅｌｌが同じＴＡＧ中にある場合、Ｓｃｅｌｌのためのタイミングオフセットは、Ｐｃｅｌｌシステムタイプ（たとえば、ＦＤＤまたはＴＤＤ）に基づいて決定され得る。しかしながら、ＳｃｅｌｌおよびＰｃｅｌｌが２つの異なるＴＡＧに属する場合、ｓＴＡＧのＳｃｅｌｌのためのタイミングオフセットは、ｓＴＡＧのためのＰＲＡＣＨを搬送するＳｃｅｌｌに基づいて決定され得る。
【００７３】
[0086]いくつかの態様によれば、ｓＴＡＧのＳｃｅｌｌのためのタイミングオフセットは、ＲＲＣ構成に基づいて決定され得る。たとえば、ｓＴＡＧのためのタイミングオフセットは、ＵＥのためのＲＲＣによって構成される最低サービングセルＩＤをもつＳｃｅｌｌに基づいて決定され得る。追加の例として、ｓＴＡＧのためのタイミングオフセットはＵＥに明示的に示され得る。
【００７４】
[0087]いくつかの態様によれば、ＰＵＣＣＨがＰｃｅｌｌと２次セル（ＰＵＣＣＨ  Ｓｃｅｌｌ）の両方の上でサポートされる場合、およびＰＵＣＣＨセル（ＰｃｅｌｌまたはＰＵＣＣＨ  Ｓｃｅｌｌ）がＦＤＤである場合、ＰＵＣＣＨセルに関連するすべてのＣＣについてＮTA offsetは０に等しいことがある。さらに、ＰＵＣＣＨがＰｃｅｌｌと２次セル（ＰＵＣＣＨ  Ｓｃｅｌｌ）の両方の上でサポートされる場合、およびＰＵＣＣＨセル（ＰｃｅｌｌまたはＰＵＣＣＨ  Ｓｃｅｌｌ）がＴＤＤである場合、ＰＵＣＣＨセルに関連するすべてのＣＣのために６２４のＴＤＤ  ＮTA offsetが使用され得る。本明細書で使用するＣＣは、概して、そのＣＣがセル（ＰｃｅｌｌまたはＳｃｅｌｌ）におけるアップリンクおよび／またはダウンリンク通信のために使用される場合、そのセルに「関連する」と見なされ得る。
【００７５】
[0088]いくつかの態様によれば、ＰＵＣＣＨセルシステムタイプに基づいてタイミングオフセットを決定することは、ＳｃｅｌｌがＰＵＣＣＨセルのうちの１つと同じＴＡＧのものであるか否かにかかわらず適用され得る。他の場合には、タイミングオフセット決定は、ＳｃｅｌｌがＰＵＣＣＨセルのうちの１つと同じＴＡＧのものであるか否かに依存し得る。たとえば、ＳｃｅｌｌがＰＵＣＣＨセルのうちの１つと同じＴＡＧのものである場合、Ｓｃｅｌｌのためのタイミングオフセットは、ＰＵＣＣＨセルシステムタイプ（ＦＤＤまたはＴＤＤ）に基づいて決定され得る。しかしながら、ＳｃｅｌｌがＰＵＣＣＨセルのうちのいずれとも同じＴＡＧのものでない場合、ｓＴＡＧのＳｃｅｌｌのためのタイミングオフセットは、ｓＴＡＧのためのＰＲＡＣＨを搬送するＳｃｅｌｌに基づいて決定され得る。
【００７６】
[0089]いくつかの態様によれば、ｓＴＡＧのＳｃｅｌｌのためのタイミングオフセットは、ＲＲＣ構成に基づいて決定され得る。たとえば、ｓＴＡＧのためのタイミングオフセットは、ＵＥのためのＲＲＣによって構成される最低サービングセルＩＤをもつＳｃｅｌｌに基づいて決定され得る。追加の例として、ｓＴＡＧのためのタイミングオフセットはＵＥに明示的に示され得る。
【００７７】
[0090]いくつかの態様によれば、いくつかのＣＣのためのタイミングは、それらの対応するＰＵＣＣＨセル（たとえば、それらのＣＣ上でＰＵＣＣＨ確認応答ＤＬ送信を送信するために使用されるセル）のタイプに基づき得る。
【００７８】
[0091]図１４に、すべてのＣＣのためのＵＬタイミングがそれらの関連するＰＵＣＣＨセルにどのように基づくかの一例を示す。図１４中の例は、４つのＣＣ、すなわち、ＣＣ１（ＦＤＤ）、ＣＣ２（ＴＤＤ）、ＣＣ３（ＴＤＤ）、およびＣＣ４（ＴＤＤ）を使用するキャリアアグリゲーションを用いるＵＥを仮定する。図示のように、ＦＤＤ  ＣＣ１は、ＣＣ１とＣＣ２の両方のためのＰＵＣＣＨを搬送し得る１次セルであり得る。さらに、ＴＤＤ  ＣＣ３は、ＣＣ３とＣＣ４の両方のためのＰＵＣＣＨを搬送し得るＳｃｅｌｌであり得る。ＣＣ３のＵＬ／ＤＬサブフレームは、ＤＬ（またはＵＬ）におけるサブフレームが必ずしも連続するとは限らない何らかのタイプのＴＤＤ  ＵＬ／ＤＬサブフレーム構成に従い得ることに留意されたい。
【００７９】
[0092]図１４の中央の図に示されているように、ＣＣ１が、ＦＤＤであり、ＣＣ１とＣＣ２の両方のためのＰＵＣＣＨを搬送するので、１次セルのためのＮTAoffsetは０である。一方、図１４の右側の図に示されているように、ＣＣ３が、ＴＤＤであり、ＣＣ３とＣＣ４の両方のためのＰＵＣＣＨを搬送するので、ＳＣｅｌｌのためのＮTAoffsetは６２４である。
【００８０】
[0093]上記で説明した方法の様々な動作は、（１つまたは複数の）ハードウェアおよび／またはソフトウェアコンポーネントならびに／あるいは（１つまたは複数の）モジュールの任意の好適な組合せによって実行され得る。
【００８１】
[0094]開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００８２】
[0095]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８３】
[0096]さらに、本明細書で開示する実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００８４】
[0097]本明細書で開示する実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８５】
[0098]本明細書で開示した実施形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中にディスクリートなコンポーネントとして存在し得る。
【００８６】
[0099]開示した実施形態の上記の説明は、当業者が本開示を実施または使用できるようにするために提供したものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
以下に本願の出願当初の特許請求の範囲に記載された発明を付記する。
［Ｃ１］
ワイヤレス通信のための方法であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を備える、方法。
［Ｃ２］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ１に記載の方法。
［Ｃ３］
１次セル（Ｐｃｅｌｌ）において通信するために使用される少なくとも１つのＣＣがＰＵＣＣＨを搬送し、
前記決定することが、前記Ｐｃｅｌｌにおいて通信するために使用される前記少なくとも１つのＣＣのシステムタイプに基づいて、前記ＴＡオフセット値を決定することを備える、
Ｃ１に記載の方法。
［Ｃ４］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ３に記載の方法。
［Ｃ５］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ１に記載の方法。
［Ｃ６］
前記決定することが、前記Ｐｃｅｌｌにおいて通信するために使用される前記少なくとも１つのＣＣのシステムタイプに基づいて、前記ＴＡオフセット値を決定することを備える、Ｃ５に記載の方法。
［Ｃ７］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ５に記載の方法。
［Ｃ８］
前記少なくとも１つのＦＤＤ  ＣＣおよび前記少なくとも１つのＴＤＤ  ＣＣが、同じタイミングアドバンスグループのものである、Ｃ１に記載の方法。
［Ｃ９］
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を行うように構成された少なくとも１つのプロセッサと、
前記少なくとも１つのプロセッサと結合されたメモリと
を備える、装置。
［Ｃ１０］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ９に記載の装置。
［Ｃ１１］
１次セル（Ｐｃｅｌｌ）において通信するために使用される少なくとも１つのＣＣがＰＵＣＣＨを搬送し、
ＴＡオフセット値を決定するように構成された前記少なくとも１つのプロセッサが、Ｐｃｅｌｌにおいて通信するために使用される前記少なくとも１つのＣＣのシステムタイプに基づいて、前記ＴＡオフセット値を決定する、
Ｃ９に記載の装置。
［Ｃ１２］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ１１に記載の装置。
［Ｃ１３］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ９に記載の装置。
［Ｃ１４］
ＴＡオフセット値を決定するように構成された前記少なくとも１つのプロセッサが、前記Ｐｃｅｌｌにおいて通信するために使用される前記少なくとも１つのＣＣのシステムタイプに基づいて、前記ＴＡオフセット値を決定する、Ｃ１３に記載の装置。
［Ｃ１５］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ１３に記載の装置。
［Ｃ１６］
前記少なくとも１つのＦＤＤ  ＣＣおよび前記少なくとも１つのＴＤＤ  ＣＣが、同じタイミングアドバンスグループのものである、Ｃ９に記載の装置。
［Ｃ１７］
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信するための手段と、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定するための手段と
を備える、装置。
［Ｃ１８］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ１７に記載の装置。
［Ｃ１９］
１次セル（Ｐｃｅｌｌ）において通信するために使用される少なくとも１つのＣＣがＰＵＣＣＨを搬送し、
決定するための前記手段が、前記Ｐｃｅｌｌにおいて通信するために使用される前記少なくとも１つのＣＣのシステムタイプに基づいて、前記ＴＡオフセット値を決定するための手段を備える、
Ｃ１７に記載の装置。
［Ｃ２０］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ１９に記載の装置。
［Ｃ２１］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ１７に記載の装置。
［Ｃ２２］
決定するための前記手段が、前記Ｐｃｅｌｌにおいて通信するために使用される前記少なくとも１つのＣＣのシステムタイプに基づいて、前記ＴＡオフセット値を決定するための手段を備える、Ｃ２１に記載の装置。
［Ｃ２３］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ２１に記載の装置。
［Ｃ２４］
前記少なくとも１つのＦＤＤ  ＣＣおよび前記少なくとも１つのＴＤＤ  ＣＣが、同じタイミングアドバンスグループのものである、Ｃ１７に記載の装置。
［Ｃ２５］
非一時的コンピュータ可読媒体であって、
コンピュータによって実行されたときに、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を前記コンピュータに行わせる命令を記憶した、非一時的コンピュータ可読媒体。
【図１】
0006571098.tif 000002
【図２】
0006571098.tif 000003
【図３】
0006571098.tif 000004
【図４】
0006571098.tif 000005
【図５】
0006571098.tif 000006
【図６】
0006571098.tif 000007
【図７】
0006571098.tif 000008
【図８】
0006571098.tif 000009
【図９】
0006571098.tif 000010
【図１０】
0006571098.tif 000011
【図１１】
0006571098.tif 000012
【図１２】
0006571098.tif 000013
【図１３】
0006571098.tif 000014
【図１４】
0006571098.tif 000015